(57)【要約】【課題】手乾燥装置より発生する騒音において耳障りな空気流発生装置の運転音や風路中を気流が通過する際に発生する通風音を低減することによりノズル開口部または吸込口より外部へ放射する騒音を低減することができる手乾燥装置を提供することを目的としている。【解決手段】吹出風路５もしくは吸込風路９、またはその両方の風路中に遮音板１２を複数設置したものである。これにより空気流発生装置２から発生する運転音が前記吹出風路５及び前記吸込風路９内をノズル開口部４及び吸込口８へ向かって伝播中に遮音されて外部への放射を抑制することができるという作用を有する。【選択図】図１
2006094927.tif 000002
【特許請求の範囲】
【請求項１】
外気を取り入れる吸込口と、前記吸込口から取り込んだ空気を空気流発生装置まで案内すべく風路を形成する面で構成された吸込風路と、前記空気流発生装置により昇圧された空気をノズル開口部まで案内すべく風路を形成する面で構成された吹出風路を備え、前記ノズル開口部より高速風を発生させて手を乾燥させるように構成した手乾燥装置であって、前記吹出風路もしくは前記吸込風路中に遮音板を複数設置したことを特徴とする手乾燥装置。
【請求項２】
吹出風路と吸込風路両方の風路中に遮音板を複数設置したことを特徴とする請求項１記載の手乾燥装置。
【請求項３】
風路中に複数の遮音板を平行に設置したことを特徴とする請求項１または２記載の手乾燥装置。
【請求項４】
風路中に複数の遮音板を平行に、且つ一直線上とならないように設置したことを特徴とする請求項１または２記載の手乾燥装置。
【請求項５】
風路中に遮音板を複数設置し、且つ少なくとも１枚を空気流の流線に対して垂直となる角度に設置したことを特徴とする請求項１または２記載の手乾燥装置。
【請求項６】
風路中に遮音板を複数設置し、且つ空気流の流線がいずれかの遮音板によって必ず遮られるように設置したことを特徴とする請求項１または２記載の手乾燥装置。
【請求項７】
風路中に遮音板を複数設置し、且つ少なくとも一枚について風路を形成する面のうち、対向する両面に接しないように設置したことを特徴とする請求項１または２記載の手乾燥装置。
【請求項８】
風路中に遮音板を複数設置し、且つ少なくとも一枚について一部曲率がついた形状としたことを特徴とする請求項１または２記載の手乾燥装置。
【請求項９】
風路中に遮音板を複数設置し、且つ少なくとも一枚について空気流発生装置側の面に吸音材を貼付したことを特徴とする請求項１から請求項８のいずれか記載の手乾燥装置。
【請求項１０】
風路中に遮音板を複数設置し、且つ少なくとも一枚について空気流発生装置側の面に空気層を設けて吸音材を貼付したことを特徴とする請求項１から請求項９のいずれか記載の手乾燥装置。
【請求項１１】
空気層を設ける方法として、遮音板の面よりリブを立設させ、遮音板に隣接しない面に吸音材を貼付したことを特徴とする請求項１０記載の手乾燥装置。
【請求項１２】
遮音板の面と風路を形成する少なくとも一面に接するリブを立設させ、遮音板に隣接しない面に吸音材を貼付して空気層を設けたことを特徴とする請求項１０記載の手乾燥装置。
【請求項１３】
遮音板の面より支柱を立設させ、遮音板に隣接しない面に吸音材を貼付して空気層を設けたことを特徴とする請求項１０記載の手乾燥装置。
【請求項１４】
遮音板から一定の距離を保つ位置に、且つ風路を形成する少なくとも一面よりリブを立設させ、前記リブの前記遮音板と平行な面に吸音材を貼付して空気層を設けたことを特徴とする請求項１０記載の手乾燥装置。
【請求項１５】
遮音板から一定の距離を保つ位置に、且つ風路を形成する少なくとも一面より支柱を立設させ、前記支柱に対して吸音材を貼付して空気層を設けたことを特徴とする請求項１０記載の手乾燥装置。
【請求項１６】
遮音板から一定の距離を保つ位置に、且つ風路を形成する少なくとも一面よりリブを立設させ、前記リブの前記遮音板と平行な面に吸音材を貼付して空気層を設けたことを特徴とする請求項１０記載の手乾燥装置。
【請求項１７】
遮音板から空気層厚みを確保できる距離と、吸音材を挟み込んで保持できる距離に風路を形成する少なくとも一面よりリブを立設させ、前記リブの間に吸音材を挟み込んで空気層を設けたことを特徴とする請求項１０記載の手乾燥装置。
【請求項１８】
遮音板から空気層厚みを確保できる距離と、吸音材を挟み込んで保持できる距離に風路を形成する少なくとも一面より支柱を立設させ、前記支柱の間に吸音材を挟み込んで空気層を設けたことを特徴とする請求項１０記載の手乾燥装置。
【発明の詳細な説明】
【技術分野】
【０００１】
本発明は、洗面所やトイレ等で手を洗い、濡れた手を乾燥させる手乾燥装置内に設置された手乾燥装置に関するものである。
【背景技術】
【０００２】
従来、この種の手乾燥装置は、空気流発生装置としての電動送風機の周囲に吸音材を貼付したものが知られている（例えば、特許文献１参照）。以下、その手乾燥装置について図１５を参照しながら説明する。
【０００３】
１０１は空気流を送風する電動送風機である。１０２は本体、１０３は手を乾燥する乾燥室１０４の上面が開放した手挿入部（開放部）、乾燥室１０４に電動送風機１０１が送風する空気流を噴出する噴出孔１０５を、また奥部に噴出孔１０５から噴出した空気流を回収する吸気口１０６を有している。１０７は乾燥室１０４の下方にあって電動送風機１０１へ空気を供給する送風流路、（電動送風機１０１の左側の流路。）１０８は吸気口１０６から電動送風機１０１へ空気を環流するための循環流路で、循環流路１０８は吸気口１０６から下へ延び、空気と水滴の両方を含んだ回収部１０８ａと、回収部１０８ａから電動送風機１０１への環流部１０８ｂと、送風流路１０７とにわかれ、回収部１０８ａからドレインタンク１０９へ水滴を回収するための水滴回収口１１０が設けてある。１１１は電動送風機１０１を収納する電動送風機ケースで、内部は仕切り部１１２により高圧部１１３にあるファン１１４と低圧部１１５にあるモータ１１６に分離してあり、送風流路１０７からファン１１４の中心へ空気を吸引し、円周状に送風するようになっている。
【０００４】
そして、送風の一部空気流がファン１１４の内部からモータ１１６へ空気を逃がす構成にしてある。１１９は電動送風機吹出し口である。
【０００５】
上記構成において、ファン吸気口吸音材１１７、電動送風機ケース１１１の高圧部１１３の内側に設けた吸音材１１８を貼付したものが知られている。
【特許文献１】特開２００２−３４８３６号公報
【発明の開示】
【発明が解決しようとする課題】
【０００６】
このような従来の手乾燥装置では、一般的に騒音が大きく、使用者または周囲に対して不快感を与えるという課題があり、また、病院や図書館など特に静粛を要する施設においては騒音が大きい為に設置できないという課題があり、さらに騒音を低減することが要求されている。
【０００７】
本発明は、このような従来の課題を解決するものであり、手乾燥装置より発生する騒音において耳障りな空気流発生装置の運転音や吹出風路及び吸込風路中を空気流が通過することによる通風音を低減することによりノズル開口部または吸込口より外部へ放射する騒音を低減することができる手乾燥装置を提供することを目的としている。
【課題を解決するための手段】
【０００８】
本発明の手乾燥装置は上記目標を達成するため、外気を取り入れる吸込口と、前記吸込口から取り込んだ空気を空気流発生装置まで案内すべく風路を形成する面で構成された吸込風路と、前記空気流発生装置により昇圧された空気をノズル開口部まで案内すべく風路を形成する面で構成された吹出風路を備え、前記ノズル開口部より高速風を発生させて手を乾燥させるように構成した手乾燥装置であって、前記吹出風路もしくは前記吸込風路、またはその両方の風路中に遮音板を複数設置したものである。これにより前記空気流発生装置から発生する運転音が前記吹出風路及び前記吸込風路内を前記ノズル開口部及び前記吸込口へ向かって伝播中に遮音されて外部への放射を抑制することができる手乾燥装置が得られる。
【０００９】
また、吹出風路もしくは吸込風路、またはその両方の風路中に複数の遮音板を平行に設置したものである。
【００１０】
また、吹出風路もしくは吸込風路、またはその両方の風路中に複数の遮音板を平行に、且つ一直線上とならないように設置したものである。
【００１１】
また、吹出風路もしくは吸込風路、またはその両方の風路中に遮音板を複数設置し、且つ少なくとも１枚を空気流の流線に対して垂直となる角度に設置したものである。
【００１２】
また、吹出風路もしくは吸込風路、またはその両方の風路中に遮音板を複数設置し、且つ空気流の流線がいずれかの遮音板によって必ず遮られるように設置したものである。
【００１３】
また、吹出風路もしくは吸込風路、またはその両方の風路中に遮音板を複数設置し、且つ少なくとも一枚について風路を形成する面のうち、対向する両面に接しないように設置したものである。
【００１４】
また、吹出風路もしくは吸込風路、またはその両方の風路中に遮音板を複数設置し、且つ少なくとも一枚について一部曲率がついた形状としたものである。これにより風路中を通過する空気流の乱れを抑制することで通風音の発生を低減しつつ、空気流発生装置から発生する運転音が前記吹出風路及び前記吸込風路内をノズル開口部及び吸込口へ向かって伝播中に遮音されて外部への放射を抑制することができる手乾燥装置が得られる。
【００１５】
また、吹出風路もしくは吸込風路、またはその両方の風路中に遮音板を複数設置し、且つ少なくとも一枚について空気流発生装置側の面に吸音材を貼付したものである。これにより前記空気流発生装置から発生する運転音を吸音材により吸音、すなわち音エネルギーから熱エネルギーに変換して消音しつつ、運転音が前記吹出風路及び前記吸込風路内をノズル開口部及び吸込口へ向かって伝播中に遮音されて外部への放射を抑制することができる手乾燥装置が得られる。
【００１６】
また、吹出風路もしくは吸込風路、またはその両方の風路中に遮音板を複数設置し、且つ少なくとも一枚について空気流発生装置側の面に空気層を設けて吸音材を貼付したものである。これにより空気流発生装置から発生する運転音の内、特に耳障りな周波数帯において空気層厚みを調節することで吸音率を高くして効果的に消音しつつ、運転音が吹出風路及び吸込風路内をノズル開口部及び吸込口へ向かって伝播中に遮音されて外部への放射を抑制することができる手乾燥装置が得られる。
【発明の効果】
【００１７】
本発明によれば吹出風路もしくは吸込風路、またはその両方の風路中に遮音板を複数設置したことにより空気流発生装置から発生する運転音が吹出風路及び吸込風路内をノズル開口部及び吸込口へ向かって伝播中に遮音されて外部への放射を抑制することによって耳障りな騒音を低減することができ、使用者または周囲に対して不快感を軽減できるとともに、静粛を要する施設においても設置が可能となるという効果のある手乾燥装置を提供できる。
【００１８】
また、吹出風路もしくは吸込風路、またはその両方の風路中に遮音板を複数設置し、且つ少なくとも一枚について一部曲率がついた形状としたことにより風路中を通過する空気流の乱れを抑制することで通風音の発生を低減しつつ、空気流発生装置から発生する運転音が吹出風路及び吸込風路内をノズル開口部及び吸込口へ向かって伝播中に遮音されて外部への放射を抑制することによって耳障りな騒音を低減することができ、使用者または周囲に対して不快感を軽減できるとともに、静粛を要する施設においても設置が可能となるという効果のある手乾燥装置を提供できる。
【００１９】
また、吹出風路もしくは吸込風路、またはその両方の風路中に遮音板を複数設置し、且つ少なくとも一枚について空気流発生装置側の面に吸音材を貼付したことにより、空気流発生装置から発生する運転音を吸音材により吸音、すなわち音エネルギーから熱エネルギーに変換して消音しつつ、運転音が吹出風路及び吸込風路内をノズル開口部及び吸込口へ向かって伝播中に遮音されて外部への放射を抑制することによって耳障りな騒音を低減でき、使用者または周囲に対して不快感を軽減できるとともに、静粛を要する施設においても設置が可能となるという効果のある手乾燥装置を提供できる。
【００２０】
また、吹出風路もしくは吸込風路、またはその両方の風路中に遮音板を複数設置し、且つ少なくとも一枚について空気流発生装置側の面に空気層を設けて吸音材を貼付したことにより空気流発生装置から発生する運転音の内、特に耳障りな周波数帯において空気層厚みを調節することで吸音率を高くして効果的に消音しつつ、運転音が吹出風路及び吸込風路内をノズル開口部及び吸込口へ向かって伝播中に遮音されて外部への放射を抑制することによって耳障りな騒音を低減でき、使用者または周囲に対して不快感を軽減できるとともに、静粛を要する施設においても設置が可能となるという効果のある手乾燥装置を提供できる。
【発明を実施するための最良の形態】
【００２１】
吹出風路もしくは吸込風路、またはその両方の風路中に遮音板を複数設置したものであり、空気流発生装置から発生する運転音が前記吹出風路及び前記吸込風路内をノズル開口部及び吸込口へ向かって伝播中に遮音されて外部への放射を抑制することができるという作用を有する。
【００２２】
前記吹出風路もしくは前記吸込風路、またはその両方の風路中に前記遮音板を複数設置し、且つ少なくとも一枚について一部曲率がついた形状としたものであり、風路中を通過する空気流の乱れを抑制することで通風音の発生を低減しつつ、前記空気流発生装置から発生する運転音が前記吹出風路及び前記吸込風路内を前記ノズル開口部及び前記吸込口へ向かって伝播中に遮音されて外部への放射を抑制することができるという作用を有する。
【００２３】
前記吹出風路もしくは前記吸込風路、またはその両方の風路中に前記遮音板を複数設置し、且つ少なくとも一枚について前記空気流発生装置側の面に吸音材を貼付したものであり、前記空気流発生装置から発生する運転音を前記吸音材により吸音、すなわち音エネルギーから熱エネルギーに変換して消音しつつ、運転音が前記吹出風路及び前記吸込風路内を前記ノズル開口部及び前記吸込口へ向かって伝播中に遮音されて外部への放射を抑制することができるという作用を有する。
【００２４】
前記吹出風路もしくは前記吸込風路、またはその両方の風路中に前記遮音板を複数設置し、且つ少なくとも一枚について前記空気流発生装置側の面に空気層を設けて前記吸音材を貼付したものであり、前記空気流発生装置から発生する運転音の内、特に耳障りな周波数帯において前記空気層厚みを調節することで吸音率を高くして効果的に消音しつつ、運転音が前記吹出風路及び前記吸込風路内を前記ノズル開口部及び前記吸込口へ向かって伝播中に遮音されて外部への放射を抑制することができるという作用を有する。
【００２５】
以下、本発明の実施の形態について図面を参照しながら説明する。
【００２６】
（実施の形態１）
図１〜図２に示すように、壁面にもしくは床面に固定された本体１は空気流発生装置２
としての高速ターボブロワと外部に向かって開口し、手を挿入できる容積を持った手挿入部３を有し、前記手挿入部３の上部にノズル開口部４を備え、前記空気流発生装置２により吹出風路５を通って前記ノズル開口部４より高圧空気が吹出される。
【００２７】
また、前記本体１内には制御手段６としてのマイコンを搭載した制御基盤を設け、前記ノズル開口部４の近傍には挿入された手を検知する検知手段７としての赤外線センサを設けることで、前記検知手段７の検知信号を前記制御手段６が受信して前記空気流発生装置２の駆動を制御している。
【００２８】
一方、吸込口８は前記手挿入部３内に設置された前記ノズル開口部４より手前に設置され、吸込風路９を通って前記空気流発生装置２に空気を供給している。
【００２９】
また、水受け皿１０と排水ダクト１１は、前記手挿入部３より下に設けることにより手から分離された水滴は重力により前記手挿入部３の底面に集められ、前記排水ダクト１１を通って前記水受け皿１０に貯蔵されるように構成される。
【００３０】
前記構成において、前記空気流発生装置２から発生する運転音が前記吹出風路５内及び前記吸込風路９内を伝播して前記ノズル開口部４及び前記吸込口８から外部への放射してしまう前に前記吹出風路５内及び前記吸込風路９内において複数の遮音板１２を設置して音の伝播を抑制することにより外部へ放射する騒音を低減できる。
【００３１】
設置する前記遮音板１２の大きさとしては、風路内断面積に対して前記遮音板１２の占める面積を大きくすれば効果は高いが、一般に空気流が通過する風路の断面積が１／２となると空気流の流速が２倍となり、圧力損失と呼ばれる通風抵抗は空気流の流速の２乗に比例し、４倍に増大するため前記空気流発生装置の仕事率を低下させてしまうので留意が必要である。また、同じく風路断面積が急拡大または急縮小する部分に空気流が流れ込むと風路断面積の変化により空気流の流速が変化するため圧力損失を増大させる要因となるので留意が必要である。
【００３２】
また、設置する前記遮音板１２の材質としては、可能な限り密度が高く、且つ厚みを持たせる方が良い。何故ならば、前記遮音板１２の遮音性能を表す透過損失は前記遮音板１２の面密度、すなわち前記遮音板１２の密度と厚みの積に比例するからである。実際に商品とする際、前記遮音板１２の材質は亜鉛鋼板などの金属とする方が良いが、一般的にコストを低く抑えるために風路を合成樹脂で製作することが多いため、前記遮音板１２を同一材質で一体成型しても良い。
【００３３】
前記遮音板１２の大きさ、材質は以下の実施の形態２から６においても同様である。
【００３４】
（実施の形態２）
図３のように、遮音板１２を吹出風路５内及び吸込風路９内に複数設置する際、前記遮音板１２を平行に設置することにより前記遮音板１２で挟まれた空間においては断面積の変化がなく、圧力損失の増大を防止しつつ遮音効果が得られる構成となる。
【００３５】
また、一直線上とならないように設置することで風路断面積が極端に縮小されることが無い為、圧力損失の増大を防止でき、且つ風路の長さを長く取れる為に伝播する音の距離減衰効果が得られ、騒音の低減効果が高い。
【００３６】
また、図３の矢印のように少なくとも１枚を空気流の流線に対して垂直となる角度に設置することにより伝播する空気流発生装置２の運転音を垂直に反射でき、遮音の効果を高められ、外部に放射される騒音を低減できる。
【００３７】
また、図３の矢印のように風路中に空気流の流線がいずれかの前記遮音板１２によって必ず遮られるように設置することにより、風路断面内の全面において伝播する前記空気流発生装置２の運転音が直接ノズル開口部４及び吸込口８から外部に放射する事無く遮音できる為、騒音を低減できる。
【００３８】
また、上記構成を組み合わせることで、前記遮音板１２を設置した際の遮音効果をより高めることができる。
【００３９】
（実施の形態３）
図４のように、風路中に遮音板１２を複数設置する際、吹出風路５を吹出風路下部５Ａと吹出風路上部５Ｂの２部品を組み合わせて風路を形成した場合には、前記吹出風路下部５Ａより立設する前記遮音板１２を前記吹出風路上部５Ｂに接しないように設置することにより、風路断面積を極端に狭くすることが無い為、圧力損失の増大を防止でき、且つ遮音効果のある構成となる。
【００４０】
（実施の形態４）
また、図５のように、風路内に設置した遮音板１２の一部に曲率をつけることにより、前記遮音板１２の角に空気流が流れる際に乱流の発生を抑えることができる為、乱流による騒音が抑えられることにより外部へ放射される騒音を軽減できる。
【００４１】
（実施の形態５）
図６のように、遮音板１２を吹出風路５内及び吸込風路９内に複数設置する際、少なくとも一枚について空気流発生装置２側の面に吸音材１３、例えばウレタンフォームなどの多孔質材やグラスウールなどの繊維質でできたものを貼付することにより、前記吸音材１３に入射した音エネルギーは熱エネルギーに変換されて消音され、且つ、遮音効果として運転音が風路を通ってノズル開口部４または吸込口８から外部への放射を抑制することとなる。また、発生する騒音の全周波数を低減するために吸音率の異なった複数種類の前記吸音材１３を選定すること、または前記空気流発生装置２の運転音で特に耳障りな騒音として周波数４００〜５００Ｈｚと３〜４ｋＨｚ間のピーク音があるので、これを低減する為に前記吸音材１３の吸音率を４００〜５００Ｈｚと３〜４ｋＨｚで最も効果のある種類を選定することも有効な手段である。
【００４２】
（実施の形態６）
図７のように、遮音板１２を吹出風路５内及び吸込風路９内に複数設置する際、少なくとも一枚について空気流発生装置２側の面に空気層１４を設けて吸音材１３を貼付することにより前記吸音材１３のもつ吸音特性を低周波側に移行させることができる。すなわち前記吸音材１３の吸音特性として、2ｋＨｚ以上の高周波はよく吸音するが、500Ｈｚ以下の低周波では吸音特性が低いという性質があるため、前記空気流発生装置２の４００〜５００Hzにあるピーク音や空気流の乱れによる通風音等の低周波騒音に対して効果がある。また、前記空気層１４の厚みとしては、低減する周波数の波長長さに対して１／４倍となるように前記空気層１４の厚みを持たせると低減効果が大きく、より低騒音な手乾燥装置を提供することが可能となる。
【００４３】
以下、実施の形態７より前記空気層１４の設置手段について説明する。
【００４４】
（実施の形態７）
空気層１４を設ける方法として、図８のように遮音板１２の面から複数リブ１５を立て、前記リブ１５の前記遮音板１２に隣接しない面に吸音材１３を貼付してもよい。貼り付け方法としては、接着剤などの粘着性のある物質を前記吸音材１３の片面もしくは前記リブ１５の前記吸音材１３貼付面に塗布すること、または前記吸音材１３の片面がのり面加工となっているものであると作業性がよい。また、前記遮音板１２に前記リブ１５を設置することにより空気流の衝突による前記リブ１５の変形を防止できる。また、組立て作業時や運搬時に前記遮音板１２の破損トラブルになりにくい。
【００４５】
（実施の形態８）
空気層１４を設ける方法として、図9のようにリブ１５は遮音板１２の面と風路を形成する少なくとも一面に接するように立設させ、前記遮音板１２に隣接しない面に吸音材１３を貼付しても前記空気層１４を設けることができ、且つ、前記遮音板１２の強度が上がることから空気流の衝突による前記リブ１５の変形を防止できる。また、組立て作業時や運搬時に前記遮音板１２の破損トラブルになりにくい。
【００４６】
（実施の形態９）
空気層１４を設ける方法として、図１０のように遮音板１２の面より支柱１６を立設させ、その頂点部分に吸音材１３を貼り付ける方法もある。また、前記支柱１６の形状は円柱でもよいし、多角形であってもよい。
【００４７】
ここで、実施の形態７及び８記載のリブ１５とは、一般的に機械的強度を向上させることを目的として設置されるものであり、前記リブ１５の形状を前記空気層１４を確保して吸音材１３を貼付できるように工夫したことがねらいである。また、前記支柱１６とは前記空気層１４を確保して前記吸音材１３を貼付することのみを目的としたものである。
【００４８】
（実施の形態１０）
空気層１４を設ける方法として、図１１のように、風路を形成する少なくとも一面よりリブ１５を立設させ、遮音板１２と平行な面に吸音材１３を貼付して前記空気層１４を設けてもよい。
【００４９】
（実施の形態１１）
空気層１４を設ける方法として、図１２のように、風路を形成する少なくとも一面より支柱１６を立設させ、遮音板１２と平行に吸音材１３を貼付して前記空気層１４を設けてもよい。また、前記支柱１６の形状は円柱でもよいし、多角形であってもよい。
【００５０】
（実施の形態１２）
空気層１４を設ける方法として、図１３のように、遮音板１２から前記空気層１４の厚みを確保できる距離と、吸音材１３を挟み込んで保持できる距離に風路を形成する少なくとも一面よりリブ１５を立設させ、前記吸音材１３を挟み込んで前記空気層１４を設けたことにより、接着手段を設けずに前記吸音材１３を設置可能となることから材料コストを抑えることができる。
【００５１】
（実施の形態１３）
空気層１４を設ける方法として、図１４のように、遮音板１２から前記空気層１４の厚みを確保できる距離と、吸音材１３を挟み込んで保持できる距離に風路を形成する少なくとも一面より支柱１６を立設させ、前記吸音材１３を挟み込んで前記空気層１４を設けても実施の形態１２と同様の効果が得られる。
【産業上の利用可能性】
【００５２】
本発明にかかる手乾燥装置は、吹出風路もしくは吸込風路、またはその両方の風路中に遮音板を複数設置したものである。これにより空気流発生装置から発生する運転音が吹出風路及び吸込風路内をノズル開口部及び吸込口へ向かって伝播中に遮音されて外部への放射を抑制することができ、手乾燥装置より発生する騒音において耳障りな空気流発生装置の運転音を低減することができるという効果がある。
【００５３】
よって、洗面所やトイレ等で手を洗い、濡れた手を乾燥させる装置等に有効であり、また、一般的に液体によって濡れたものを乾燥させる用途としても適用できる。
【図面の簡単な説明】
【００５４】
【図１】本発明の実施の形態１の構造を示す正面断面図
【図２】同側断面図
【図３】本発明の実施の形態２の風路を示す部分断面図
【図４】本発明の実施の形態３の風路を示す部分断面図
【図５】本発明の実施の形態４の風路を示す部分断面図
【図６】本発明の実施の形態５の風路を示す部分断面図
【図７】本発明の実施の形態６の風路を示す部分断面図
【図８】本発明の実施の形態７の吸音材設置手段を示す部分斜視図
【図９】本発明の実施の形態８の吸音材設置手段を示す部分斜視図
【図１０】本発明の実施の形態９の吸音材設置手段を示す部分斜視図
【図１１】本発明の実施の形態１０の吸音材設置手段を示す部分斜視図
【図１２】本発明の実施の形態１１の吸音材設置手段を示す部分斜視図
【図１３】本発明の実施の形態１２の吸音材設置手段を示す部分斜視図
【図１４】本発明の実施の形態１３の吸音材設置手段を示す部分斜視図
【図１５】従来例の構成を示す断面図
【符号の説明】
【００５５】
１    本体
２    空気流発生手段
３    手挿入部
４    ノズル開口部
５    吹出風路
５Ａ  吹出風路下部
５Ｂ  吹出風路上部
６    制御手段
７    検知手段
８    吸込口
９    吸込風路
１０  水受け皿
１１  排水ダクト
１２  遮音板
１３  吸音材
１４  空気層
１５  リブ
１６  支柱
【図１】
2006094927.tif 000003
【図２】
2006094927.tif 000004
【図３】
2006094927.tif 000005
【図４】
2006094927.tif 000006
【図５】
2006094927.tif 000007
【図６】
2006094927.tif 000008
【図７】
2006094927.tif 000009
【図８】
2006094927.tif 000010
【図９】
2006094927.tif 000011
【図１０】
2006094927.tif 000012
【図１１】
2006094927.tif 000013
【図１２】
2006094927.tif 000014
【図１３】
2006094927.tif 000015
【図１４】
2006094927.tif 000016
【図１５】
2006094927.tif 000017